(57)【要約】【課題】遊技機を簡単に梱包することができると共に、搬送中における破損を防止することができる搬送容器を提供する。【解決手段】収納補助部材２０により遊技機を固定して外箱１０の内部に収納する。収納補助部材２０は、遊技機の側面を覆う一対の側板部２１Ａ，２１Ｂと、遊技機の背面に対向するように一対の側板部２１Ａ，２１Ｂに連続して設けられた背板部２１Ｃとを有する支持部材２１を備え、固定部材２２により、遊技機の前面側および背面側に空間部が形成されるように支持部材２１に対して遊技機Ｍを固定する。【選択図】図１
2010132352.tif 000002
【特許請求の範囲】
【請求項１】
内部に収納部を有する外箱と、前記収納部に遊技機を固定して収納する収納補助部材とを備え、遊技機を収納して搬送するための搬送容器であって、
前記収納補助部材は、
遊技機の側面を覆う一対の側板部および遊技機の背面と対向するように前記一対の側板部に連続して設けられた背板部を有する支持部材と、
遊技機を収納した際に、遊技機の前面側および背面側に空間部が形成されるように、前記支持部材に対して遊技機を固定する固定部材と
を備えたことを特徴とする搬送容器。
【請求項２】
前記外箱は、一面に開口部を有し、
前記収納補助部材は、前記側板部を前記開口部と平行にして前記収納部に収納される
ことを特徴とする請求項１記載の搬送容器。
【請求項３】
前記一対の側板部のうち前記開口部の側に位置する方には、遊技機の上面側および底面側の少なくとも一方に、前記一対の側板部の他方側に向かって延長された折り曲げ部が設けられた
ことを特徴とする請求項２記載の搬送容器。
【請求項４】
前記固定部材は、
遊技機の背面を係止することにより、遊技機の厚み方向において、前記側板部の中間部に遊技機を位置させ、遊技機の前面側および背面側に空間部を形成する位置決め部材と、
遊技機の前面側を通して前記一対の側板部の間に掛け渡すことにより、遊技機を前記支持部材に固定する長尺部材と
を備えたことを特徴とする請求項１から請求項３のいずれか１に記載の搬送容器。
【請求項５】
前記一対の側板部には、前記長尺部材を掛け渡すための通過孔または切り欠きが、その一部において遊技機の側面が露出するように設けられた
ことを特徴とする請求項４記載の搬送容器。
【請求項６】
前記外箱は、一面に開口部を有し、この開口部に対向する面が組み底により構成された中空状の本体と、前記開口部を閉鎖する蓋と、前記本体と前記蓋とに掛け渡して貼り付けるセキュリティラベルとを備えたことを特徴とする請求項１から請求項５のいずれか１に記載の搬送容器。
【発明の詳細な説明】
【技術分野】
【０００１】
本発明は、パチンコ機等の遊技機を搬送する際に用いる搬送容器に関する。
【背景技術】
【０００２】
パチンコ機やスロットマシン等の遊技機は、生産工場で生産されたのち、例えば一台ずつ段ボール箱に梱包してパチンコ店などの遊技場に搬送される。その際、遊技機が破損しないように、緩衝材を用いて段ボール箱に詰めるのが一般的である。また、生産工場からの出荷に限らず、遊技機を店舗間で移動させる際にも、同様にして搬送される。しかし、遊技機は非常に重く、また、液晶パネルや制御回路基板などの精密機器が組み込まれていたり、ガラス板が嵌め込まれているものもあるので、僅かな力が加わっただけで破損してしまうことがあった。そのため、十分な梱包をしなければならず、梱包作業に手間がかかるという問題があった。また、遊技機を搬送した場所で設置する際に、破損していないかを点検しなければならないという問題もあった。
【０００３】
そこで、点検作業を軽減することを目的として、遊技機の搬送容器に感圧シートを取り付けて、遊技機に一定以上の力が加わったか否かを検出する方法が提案されている（特許文献１参照）。しかしながら、この方法では、点検作業を軽減することはできるものの、梱包作業の手間は軽減することができず、また、遊技機の破損を防止することもできない。
【特許文献１】特開２００５−３０８４８１号公報
【発明の開示】
【発明が解決しようとする課題】
【０００４】
本発明は、このような問題に基づきなされたものであり、形状が異なる遊技機であっても簡単に梱包することができると共に、搬送中における破損を防止することができる搬送容器を提供することを目的とする。
【課題を解決するための手段】
【０００５】
本発明の搬送容器は、内部に収納部を有する外箱と、収納部に遊技機を固定して収納する収納補助部材とを備え、遊技機を収納して搬送するためのものであって、収納補助部材は、遊技機の側面を覆う一対の側板部および遊技機の背面と対向するように一対の側板部に連続して設けられた背板部を有する支持部材と、遊技機を収納した際に、遊技機の前面側および背面側に空間部が形成されるように、支持部材に対して遊技機を固定する固定部材とを備えたものである。
【発明の効果】
【０００６】
本発明の搬送容器によれば、一対の側板部およびこれに連続して設けられた背板部を有する支持部材に対して、遊技機を前面側および背面側に空間部が形成されるように固定し、外箱に収納するようにしたので、遊技機の前面側および背面側に形成される空間部により、遊技機の前面側および背面側に加えられる衝撃を吸収することができる。よって、遊技機の前面側または背面側に配設されている精密機器やガラス板の破損を効果的に防止することができる。また、遊技機の背面側を背板部により補強しているので、特に破損しやすい制御回路基板を保護することができる。更に、支持部材に固定するだけで簡単に外箱に収納することができるので、遊技機の梱包作業にかかる手間を大幅に削減することができる。
【０００７】
特に、側板部を外箱の開口部と平行にして支持部材が外箱に収納されるようにすれば、外箱の開口部を上面とし、遊技機の前面および背面を垂直方向に立て一方の側面を下にして、外箱に収納することができる。よって、収納したり取り出したりする際に遊技機を持ちやすく、作業を容易とすることができる。また、遊技機の前面または背面に垂直方向の力が直接的に加わらないので、遊技機の破損をより効果的に防止することができると共に、外箱を積み重ねることもでき、搬送効率を高めることができる。
【０００８】
更に、開口部側の側板部において、遊技機の上面側および底面側の少なくとも一方に、他方の側板部に向かって延長された折り曲げ部を設けるようにすれば、側板部を補強して、側板部が収納部において遊技機の厚み方向に移動することを防止することができる。よって、遊技機の破損をより効果的に防止することができる。
【０００９】
加えて、遊技機の厚み方向において側板部の中間部に遊技機を係止する位置決め部材と、一対の側板部の間に掛け渡す長尺部材とにより、遊技機を支持部材に固定するようにすれば、遊技機を簡単に収納部に固定して収納することができる。また、装飾部の形状が異なったり、厚みが異なる遊技機でも、安定して固定することができる。
【００１０】
更にまた、側板部に長尺部材を掛け渡すための通過孔または切り欠きを、一部において遊技機の側面が露出するように設けるようにすれば、遊技機の側面から前面にかけて長尺部材を直接掛け渡して遊技機を押さえるので、形状の異なる遊技機であっても強固に固定することができる。
【００１１】
加えてまた、外箱の開口部に対向する面を組み底により構成し、本体と蓋とに掛け渡して貼り付けるセキュリティラベルを備えるようにすれば、外箱が開けられたか否かを容易に検出することができ、簡単に遊技機の改造を防止することができる。よって、改造を防止するためのセキュリティ機能を備えた内袋などに収納する必要がなく、梱包作業にかかる手間を削減することができる。
【発明を実施するための最良の形態】
【００１２】
以下、本発明の実施の形態について、図面を参照して詳細に説明する。
【００１３】
図１は本発明の一実施の形態に係る搬送容器の構成を表すものである。この搬送容器は、パチンコ機またはスロットマシン等の遊技機を収納して搬送するためのものであり、内部に収納部を有する外箱１０と、収納部に遊技機を固定して収納する収納補助部材２０とを備えている。
【００１４】
外箱１０は、例えば、紙製の段ボールまたはプラスチック製のプラスチック段ボールにより構成されており、一面に開口部１１Ａを有する中空直方体状の本体１１と、開口部１１Ａを閉鎖するための蓋１２とを有している。なお、外箱１０をプラスチック段ボールにより構成するようにすれば、段ボールに比べて繰り返し使用することができるので好ましく、段ボールにより構成するようにすれば、安価とすることができるので好ましい。
【００１５】
本体１１の内部は収納部となっており、開口部１１Ａは一面の全体に形成されている。蓋１２は、例えば、開口部１１Ａに隣接する１つの側面から連続して本体１１と一体的に形成されている。蓋１２の本体１１に連続している側の反対側は、例えば、蓋１２が設けられている側面と対向する側面に沿って折り曲げられるように構成されている。蓋１２と本体１１とは、例えば図１に示したように、面状ファスナー１３などにより固定するようにしてもよいし、ガムテープなどにより固定するようにしてもよい。また、本体１１と蓋１２との間には、セキュリティラベルを掛け渡して貼り付けるようにすることが好ましい。蓋１２が開けられたか否かを容易に検出することができ、遊技機の改造を容易に防止することができるからである。
【００１６】
蓋１２が設けられている側面に隣接する一対の側面には、それらの側面から開口部１１Ａの方に延長された折り曲げ部１４が設けられていることが好ましい。外箱１０の強度を向上させることができるからである。また、側面のうちの少なくとも１つには、例えば、外箱１０を持ち運ぶ際に把持するための把持孔１５が形成されていることが好ましい。
【００１７】
本体１１の開口部１１Ａと対向する面は、例えば図２（Ａ）に示したように、各側面からそれぞれ延長して設けられた組み合わせ板部材１６，１７，１８，１９を組み合わせた組み底により構成されている。組み合わせ板部材１６，１７は互いに対向するように設けられ、組み合わせ板部材１８，１９は組み合わせ板部材１６，１７の間において互いに対向するように設けられている。組み合わせ板部材１６の延長端部には、中央部に係止凹部１６Ａが形成され、両端部に組み合わせ板部材１８，１９により覆われる延長凸部１６Ｂが形成されている。組み合わせ板部材１７の延長端部には、中央部に係止凹部１６Ａに係止する係止凸部１７Ａが形成されている。組み合わせ板部材１８，１９の延長端部には、組み合わせ板部材１７により覆われる延長凸部１８Ａ，１９Ａがそれぞれ形成されている。
【００１８】
これら組み合わせ板部材１６，１７，１８，１９は、例えば図２（Ｂ）に示したように、組み合わせ板部材１６を折り曲げ、その上から組み合わせ板部材１８，１９を折り曲げて延長凸部１６Ｂを覆い、その上から組み合わせ板部材１７を折り曲げて延長凸部１８Ａ，１９Ａを覆うと共に、係止凹部１６Ａに係止凸部１７Ａを挿入することにより、面を構成している。このように組み底により構成するようにすれば、簡単に組み合わせて面を形成することができると共に、収納部に遊技機が収納されている時には破壊しないと開けることが難しく、再梱包ができないので、セキュリティを強化することができ好ましい。
【００１９】
図３は収納補助部材２０に遊技機Ｍを固定した状態を正面から見たもの、図４は背面から見たものであり、図５は図３に示したＩ−Ｉ線に沿った断面構造を表わすものである。収納補助部材２０は、遊技機Ｍを支持するための支持部材２１と、遊技機Ｍの前面側および背面側に空間部２０Ａ，２０Ｂが形成されるように支持部材２１に対して遊技機Ｍを固定する固定部材２２とを有している。
【００２０】
支持部材２１は、遊技機Ｍの側面を覆う一対の側板部２１Ａ，２１Ｂと、遊技機Ｍの背面に対向するように一対の側板部２１Ａ，２１Ｂに連続して設けられた背板部２１Ｃとを有しており、制御回路基板Ｍ１が配設されている遊技機Ｍの背面側を補強して保護することができるようになっている。支持部材２１は、外箱１０と同様に、例えば段ボールまたはプラスチック材により構成されている。
【００２１】
支持部材２１は、例えば、側板部２１Ａ，２１Ｂを外箱１０の開口部１１Ａに対して平行にして外箱１０に収納されるように構成されていることが好ましい。外箱１０の開口部１１Ａを上面とし、遊技機Ｍの前面および背面を垂直方向に立て一方の側面を下にして、外箱１０に収納することができるので、収納したり取り出したりする際に遊技機Ｍを持ちやすく、作業を容易とすることができるからである。また、遊技機Ｍの前面または背面に垂直方向の力が直接的に加わらないので、遊技機Ｍの破損をより効果的に防止することができると共に、外箱１０を積み重ねることもでき、搬送効率を高めることができるからである。
【００２２】
支持部材２１の大きさは外箱１０の収納部の大きさよりも若干小さくなっており、外箱１０と支持部材２１との間には若干のゆとりが形成されている。例えば、外箱１０の各側面と支持部材２１との間の隙間の大きさは、それぞれ２ｍｍから１０ｍｍ程度であることが好ましい。ゆとりが小さいと外箱１０に支持部材２１を出し入れするのが困難となり、ゆとりが大きいと外箱１０の中で支持部材２１が大きく動いてしまい、搬送し難いからである。
【００２３】
側板部２１Ａ，２１Ｂには、遊技機Ｍの上面側および底面側の少なくとも一方に、他方の側板部２１Ｂに向かって延長された折り曲げ部２１Ｄが設けられていることが好ましい。側板部２１Ａを補強して、側板部２１Ａが外箱１０の収納部において遊技機Ｍの厚み方向に移動することを防止することができるからである。折り曲げ部２１Ｄは、側板部２１Ａの上面側端部の一部または底面側端部の一部に設けられていてもよいが、上面側端部の全体または底面側端部の全体に設けられていることが好ましい。遊技機Ｍの移動を防止する効果が高いからである。側板部２１Ａ，２１Ｂの対向方向における折り曲げ部２１Ｄの長さは、例えば、２．５ｃｍから８ｃｍ程度であることが好ましい。短いと十分な効果を得ることができず、長いと遊技機Ｍを収納する際に邪魔になってしまうからである。なお、折り曲げ部２１Ｄは、開口部１１Ａの側の側板部２１Ａ又は反対側の側板部２１Ｂのいずれか一方に設けるようにしてもよい。
【００２４】
固定部材２２は、例えば、遊技機Ｍの背面を係止して、遊技機Ｍの厚み方向において側板部２１Ａ，２１Ｂの中間部に遊技機Ｍを位置させることにより、遊技機Ｍの前面側および背面側に空間部２０Ａ，２０Ｂを形成する位置決め部材２２Ａを有している。位置決め部材２２Ａは、例えば、直方体ブロック状であり、側板部２１Ａ，２１Ｂに沿って遊技機Ｍと背板部２１Ｃとの間に介在されている。位置決め部材２２Ａは、発砲スチロールや発泡性緩衝材などの緩衝部材により構成されていることが好ましいが、他の材料により構成するようにしても良く、例えば、木材、プラスチック、または、鉄，アルミニウムあるいはスチール等の金属により構成するようにしてもよい。位置決め部材２２Ａは、遊技機Ｍの高さ方向の全体に設けるようにしてもよいが、部分的に分割して設けるようにしてもよい。また、位置決め部材２２Ａは、側板部２１Ａ，２１Ｂに接触して設けるようにしてもよいが、側板部２１Ａ，２１Ｂから間を開けて設けるようにしてもよい。側板部２１Ａ，２１Ｂの対向方向における位置決め部材２２Ａの厚みは例えば１ｃｍから３ｃｍ程度、遊技機Ｍの厚み方向における位置決め部材２２Ａの長さは例えば１０ｃｍから２０ｃｍ程度であり、遊技機Ｍの背面側に設けられている制御回路基板Ｍ１が背板部２１Ｃに接触しないように構成されている。
【００２５】
固定部材２２は、また、例えば、遊技機Ｍの前面側を通して一対の側板部２１Ａ，２１Ｂの間に掛け渡すことにより、遊技機Ｍを支持部材２１に固定する長尺部材２２Ｂを有している。このように長尺部材２２Ｂを用いるようにすれば、装飾部の形状が異なったり、厚みが異なる遊技機Ｍでも、安定して固定することができるので好ましい。長尺部材２２Ｂは、例えば、面状ファスナー、パレマジック（登録商標）等の面状ファスナーを利用した加工品、または、結束バンドにより構成されている。面状ファスナーおよび面状ファスナーを利用した加工品は繰り返し使用する際に好ましく、結束バンドは安価とする際に好ましい。なお、図１,３〜５では、長尺部材２２Ｂを面状ファスナーにより構成した場合を示している。長尺部材２２Ｂは、背板部２１Ｃから回して一対の側板部２１Ａ，２１Ｂの間に掛け渡すか、または、背板部２１Ｃを通して一回りさせるようにすることが好ましい。支持部材２１に対して遊技機Ｍをより強固に固定することができるからである。長尺部材２２Ｂを掛け渡す位置は、位置決め部材２２Ａが設けられている位置と対応していることが好ましい。支持部材２１に対して遊技機Ｍをより強固に固定することができるからである。長尺部材２２Ｂの幅は、例えば、１ｃｍから１０ｃｍ程度であり、複数本の長尺部材２２Ｂを用いて固定するようにしてもよい。なお、面状ファスナーを用いる場合には、複数本用いると絡まりやすいので、１本とした方が好ましい。
【００２６】
また、側板部２１Ａ，２１Ｂには、例えば、長尺部材２２Ｂを掛け渡すための切り欠き２１Ｅまたは通過孔２１Ｆが設けられている。切り欠き２１Ｅおよび通過孔２１Ｆは、切り欠き２１Ｅおよび通過孔２１Ｆの一部に遊技機Ｍの側面が露出するように設けられていることが好ましい。長尺部材２２Ｂを遊技機Ｍの側面から前面に直接掛けて押さえることができるので、形状の異なる遊技機Ｍであっても強固に固定することができるからである。
【００２７】
この搬送容器に遊技機Ｍを収納する際には、例えば、開口部１１Ａを上にして外箱１０を置き、蓋１２を開けて収納部に収納補助部材２０を設置したのち、開口部１１Ａの側の側板部２１Ａを持ち上げて遊技機Ｍを挿入し、長尺部材２２Ｂを留めて蓋１２を閉める。また、取り出す際には、例えば、蓋１２を開け、超尺部材２２Ｂをはずして、開口部１１Ａの側の側板部２１Ａを持ち上げて遊技機Ｍを取り出す。これにより、遊技機Ｍは、搬送容器に簡単に収納され、また、簡単に取り出される。
【００２８】
このように、本実施の形態に係る搬送容器によれば、一対の側板部２１Ａ，２１Ｂおよびこれに連続して設けられた背板部２１Ｃを有する支持部材２１に対して、遊技機Ｍを前面側および背面側に空間部２０Ａ，２０Ｂが形成されるように固定し、外箱１０に収納するようにしたので、遊技機Ｍの前面側および背面側に形成される空間部２０Ａ，２０Ｂにより、遊技機Ｍの前面側および背面側に加えられる衝撃を吸収することができる。よって、遊技機Ｍの前面側または背面側に配設されている精密機器やガラス板の破損を効果的に防止することができる。また、遊技機Ｍの背面側を背板部２１Ｃにより補強しているので、特に破損しやすい制御回路基板Ｍ１を保護することができる。更に、支持部材２１に固定するだけで簡単に外箱１０に収納することができるので、遊技機Ｍの梱包作業にかかる手間を大幅に削減することができる。
【００２９】
特に、側板部２１Ａ，２１Ｂを外箱１０の開口部１Ａと平行にして支持部材２１が外箱１０に収納されるようにすれば、外箱１０の開口部１１Ａを上面とし、遊技機Ｍの前面および背面を垂直方向に立て一方の側面を下にして、外箱１０に収納することができる。よって、収納したり取り出したりする際に遊技機Ｍを持ちやすく、作業を容易とすることができる。また、遊技機Ｍの前面または背面に垂直方向の力が直接的に加わらないので、遊技機Ｍの破損をより効果的に防止することができると共に、外箱１０を積み重ねることもでき、搬送効率を高めることができる。
【００３０】
更に、開口部１１Ａ側の側板部２１Ａにおいて、遊技機Ｍの上面側および底面側の少なくとも一方に、他方の側板部２１Ｂに向かって延長された折り曲げ部２１Ｄを設けるようにすれば、側板部２１Ａを補強して、側板部２１Ａが収納部において遊技機Ｍの厚み方向に移動することを防止することができる。よって、遊技機Ｍの破損をより効果的に防止することができる。
【００３１】
加えて、遊技機Ｍの厚み方向において側板部２１Ａ，２１Ｂの中間部に遊技機Ｍを係止する位置決め部材２２Ａと、一対の側板部２１Ａ，２１Ｂの間に掛け渡す長尺部材２２Ｂとにより、遊技機Ｍを支持部材２１に固定するようにすれば、遊技機Ｍを簡単に収納部に固定して収納することができる。また、装飾部の形状が異なったり、厚みが異なる遊技機Ｍでも、安定して固定することができる。
【００３２】
更にまた、側板部２１Ａ，２１Ｂに長尺部材２２Ｂを掛け渡すための切り欠き２１Ｅまたは通過孔２２Ｆを、その一部において遊技機Ｍの側面が露出するように設けるようにすれば、遊技機Ｍの側面から前面にかけて長尺部材２２Ｂを直接掛け渡して遊技機Ｍを押さえるので、形状の異なる遊技機Ｍであっても強固に固定することができる。
【００３３】
加えてまた、外箱１０の開口部１１Ａに対向する面を組み底により構成し、本体１１と蓋１２とに掛け渡して貼り付けるセキュリティラベルを備えるようにすれば、外箱１０が開けられたか否かを容易に検出することができ、簡単に遊技機Ｍの改造を防止することができる。よって、改造を防止するためのセキュリティ機能を備えた内袋などに収納する必要がなく、梱包作業にかかる手間を削減することができる。
【００３４】
以上、実施の形態を挙げて本発明を説明したが、本発明は上記実施の形態に限定されるものではなく、種々変形可能である。例えば、上記実施の形態において説明した外箱１０および収納補助部材２０の角部は、切り落とすかまたは丸めるようにしてもよい。
【００３５】
また、上記実施の形態では、位置決め部材２２Ａをブロック状部材により構成する場合について説明したが、例えば、図６に示したように、支持部材２１の一部を遊技機Ｍの側に突出させて折り曲げることにより構成するようにしてもよい。このように構成すれば、保管する際に、支持部材２１を外箱１０から取り出して広げたり畳んだりすれば、ほぼ平らな状態となり、場所をとらないので好ましい。なお、強度の点からはブロック状部材により構成することが好ましい。また、位置決め部材２２Ａを支持部材２１の一部を折り曲げて形成する場合には、例えば、図６に示したように、折り曲げ線２２Ｃの一部に開口２２Ｄまたは切り込みを設けるようにすれば、折り曲げを容易とすることができるので好ましい。
【００３６】
更に、上記実施の形態では、開口部１１Ａ側の側板部２１Ａに切り欠き２１Ｅを設け、反対側の側板部２１Ｂに通過孔２１Ｆを設ける場合を示したが、どちらを切り欠き２１Ｅまたは通過孔２１Ｆとしてもよく、両方とも切り欠き２１Ｅまたは通過孔２１Ｆとしてもよい。但し、開口部１１Ａ側の側板部２１Ａは切り欠き２１Ｅとした方が長尺部材２２Ｂを容易に掛け渡すことができるので好ましく、反対側の側板部２１Ｂは通過孔２１Ｆとした方が支持部材２１の強度を向上させることができるので好ましい。
【００３７】
加えて、上記実施の形態では、長尺部材２２Ｂを背板部２１Ｃから回して一対の側板部２１Ａ，２１Ｂの間に掛け渡すか、または、背板部２１Ｃを通して一回りさせる場合について説明したが、例えば、図７に示したように、背板部２１Ｃに長尺部材２２Ｂを通すための貫通孔２１Ｇを複数、例えば２つ設け、長尺部材２２Ｂを背板部２１Ｃの一部において遊技機Ｍの側に通し、背板部２１Ｃの外側から側板部２１Ａ，２１Ｂに回して掛け渡すようにしてもよい。このように構成すれば、長尺部材２２Ｂを支持部材２１に対して係止させることができ、止め付けなくても、長尺部材２２Ｂを支持部材２１と一体的に取り扱うことができ、簡単な構造で取り扱いを簡便とすることができるので好ましい。
【００３８】
更にまた、上記実施の形態では、遊技機Ｍを固定する収納補助部材２０と、収納補助部材２０を収納する外箱１０とを備える場合について説明したが、例えば図８に示したように、外箱１０の外側を一回りさせて、蓋１２、側面、および蓋１２と対向する底面にベルト３０を掛け渡すようにしてもよい。このように構成すれば、強度を向上させることができると共に、ベルト３０の結合留め具部分にセキュリティラベルを貼り付けることにより底部からの不正な開封を防止することができるので好ましい。また、このように構成すれば、面状ファスナー１３またはガムテープなどと合わせて用いることにより、蓋１２の封緘を補助することができる。ベルト３０は１本でもよいが、２本以上掛け渡すようにしてもよい。ベルト３０は、例えば、外箱１０の１つの側面に対してビスなどにより一部が止め付けられていることが好ましい。ベルト３０と外箱１０とを一体的に取り扱うことができ、取り扱いを簡便とすることができるからである。
【産業上の利用可能性】
【００３９】
パチンコ機あるいはスロットマシンなどの遊技機を搬送する際に用いることができる。
【図面の簡単な説明】
【００４０】
【図１】本発明の一実施の形態に係る搬送容器の構成を表す分解斜視図である。
【図２】図１に示した外箱の構成を表す斜視図である。
【図３】図１に示した収納補助部材の構成を表す平面図である。
【図４】図１に示した収納補助部材の構成を表す背面図である。
【図５】図３に示したＩ−Ｉ線に沿った断面図である。
【図６】支持部材の変形例を表す斜視図である。
【図７】収納補助部材の他の変形例を表す断面図である。
【図８】搬送容器の他の変形例を表す斜視図である。
【符号の説明】
【００４１】
１０…外箱、１１…本体、１１Ａ…開口部、１２…蓋、１３…面状ファスナー、１４…折り曲げ部、１５…把持孔、１６，１７，１８，１９…組み合わせ板部材、１６Ａ…係止凹部、１６Ｂ…延長凸部、１７Ａ…係止凸部、１８Ａ，１９Ａ…延長凸部、２０…収納補助部材、２０Ａ，２０Ｂ…空間部、２１…支持部材、２１Ａ，２１Ｂ…側板部、２１Ｃ…背板部、２１Ｄ…折り曲げ部、２１Ｅ…切り欠き、２１Ｆ…通過孔、２１Ｇ…貫通孔、２２Ａ…位置決め部材、２２Ｂ…長尺部材、２２Ｃ…折り曲げ線、２２Ｄ…開口、３０…ベルト
【図１】
2010132352.tif 000003
【図２】
2010132352.tif 000004
【図３】
2010132352.tif 000005
【図４】
2010132352.tif 000006
【図５】
2010132352.tif 000007
【図６】
2010132352.tif 000008
【図７】
2010132352.tif 000009
【図８】
2010132352.tif 000010